(57)【要約】【課題】二次転写ローラにおいて無駄に流れる電流を抑制することを可能とする。【解決手段】印刷装置は、記録媒体の種別を読み取る記録媒体種別読取部と、種別が互いに異なる複数の転写ユニットのうちの、いずれか１つの転写ユニットを選択的に格納する転写ユニット格納部と、転写ユニット格納部に格納された転写ユニットの種別と記録媒体種別読取部にて読み取られた記録媒体の種別とが適合するか否かを判別する適合判別手段と、を備える。【選択図】図１
2015179215.tif 000002
【特許請求の範囲】
【請求項１】
記録媒体の種別を読み取る記録媒体種別読取部と、
種別が互いに異なる複数の転写ユニットのうちの、いずれか１つの当該転写ユニットを選択的に格納する転写ユニット格納部と、
前記転写ユニット格納部に格納された前記転写ユニットの種別と前記記録媒体種別読取部にて読み取られた前記記録媒体の種別とが適合するか否かを判別する適合判別手段と、
を備える、
ことを特徴とする印刷装置。
【請求項２】
前記適合判別手段により判別された結果に応じてメッセージを報知する報知手段をさらに備え、
前記報知手段は、前記適合判別手段により適合しないと判別された場合、前記記録媒体種別読取部にて読み取られた前記記録媒体の種別に適合する種別の前記転写ユニットに交換することを促す前記メッセージを報知する、
ことを特徴とする請求項１に記載の印刷装置。
【請求項３】
前記転写ユニットは、異なる種別の複数の転写ローラを有し、
前記記録媒体種別読取部にて読み取られた前記記録媒体の種別に応じて前記転写ユニット格納部に格納された前記転写ユニットの前記複数の転写ローラのうちのいずれか１つを選択する転写ローラ選択手段を、さらに備える、
ことを特徴とする請求項１又は２に記載の印刷装置。
【請求項４】
前記転写ユニット格納部に格納された前記転写ユニットの前記複数の転写ローラのうちのいずれか１つは、前記印刷装置で印刷可能な最大の前記記録媒体の種別に適合する、
ことを特徴とする請求項３に記載の印刷装置。
【請求項５】
記録媒体の種別を読み取る記録媒体種別読取ステップと、
種別が互いに異なる複数の転写ユニットのうちの、いずれか１つの当該転写ユニットを選択的に格納する転写ユニット格納ステップと、
前記転写ユニット格納ステップで格納された前記転写ユニットの種別と前記記録媒体種別読取ステップで読み取られた前記記録媒体の種別とが適合するか否かを判別する適合判別ステップと、
を備える、
ことを特徴とする印刷制御方法。
【請求項６】
記録媒体の種別を読み取る記録媒体種別読取部と、種別が互いに異なる複数の転写ユニットのうちの、いずれか１つの当該転写ユニットを選択的に格納する転写ユニット格納部と、を有する印刷装置のプログラムであって、
コンピュータに、
前記転写ユニット格納部に格納された前記転写ユニットの種別と前記記録媒体種別読取部にて読み取られた前記記録媒体の種別とが適合するか否かを判別する適合判別処理、
を実行させる、
ことを特徴とするプログラム。
【発明の詳細な説明】
【技術分野】
【０００１】
この発明は、印刷装置、印刷制御方法及びプログラムに関する。
【背景技術】
【０００２】
中間転写方式の印刷装置では、複数の感光体上にそれぞれ形成したトナー像を中間転写体上に重ね合わせた後（一次転写）、二次転写ローラを中間転写体に圧接し、二次転写ローラにバイアス電圧を印可してトナーを記録媒体に転写する（二次転写）。この際、二次転写ローラにおいて、記録媒体が通過する部分（通過部）の抵抗値は、記録媒体が有する抵抗値が加わるため、記録媒体が通過しない部分（非通過部）の抵抗値に比べて高くなる。このため、二次転写ローラの記録媒体が通過する部分は電流が流れにくくなり、良好にトナーを転写するために必要な転写電流が得られないことがある。
【０００３】
この問題を解決するために、特許文献１は、印刷開始前に二次転写ローラに所定の電圧を印加して電流値を取得し、所定の目標電流値に相当する電圧値を求め、この電圧値に記録媒体が通過する部分の抵抗に応じた分担電圧値を加算して定電圧を二次転写ローラに印加する技術を開示している。
【先行技術文献】
【特許文献】
【０００４】
【特許文献１】特開２００４−１１７９２０号公報
【発明の概要】
【発明が解決しようとする課題】
【０００５】
しかしながら、特許文献１の技術によれば、二次転写ローラの記録媒体が通過する部分に十分な電流が流れるように、記録媒体が通過しない部分に流れる電流を考慮した上で二次転写ローラに二次転写電圧を印加しなければならない。これは、二次転写ローラの記録媒体が通過しない部分で二次転写電流とは無関係な無駄な電流を増加しているに過ぎず、非効率である。
【０００６】
本発明は、このような状況に鑑みてなされたものであり、二次転写ローラにおいて無駄に流れる電流を抑制することを可能とする、印刷装置、印刷制御方法及びプログラムを提供することを目的とする。
【課題を解決するための手段】
【０００７】
上記の目的を達成するため、本発明に係る印刷装置は、
記録媒体の種別を読み取る記録媒体種別読取部と、
種別が互いに異なる複数の転写ユニットのうちの、いずれか１つの当該転写ユニットを選択的に格納する転写ユニット格納部と、
前記転写ユニット格納部に格納された前記転写ユニットの種別と前記記録媒体種別読取部にて読み取られた前記記録媒体の種別とが適合するか否かを判別する適合判別手段と、
を備える、
ことを特徴とする。
【０００８】
また、上記の目的を達成するため、本発明に係る印刷制御方法は、
記録媒体の種別を読み取る記録媒体種別読取ステップと、
種別が互いに異なる複数の転写ユニットのうちの、いずれか１つの当該転写ユニットを選択的に格納する転写ユニット格納ステップと、
前記転写ユニット格納ステップで格納された前記転写ユニットの種別と前記記録媒体種別読取ステップで読み取られた前記記録媒体の種別とが適合するか否かを判別する適合判別ステップと、
を備える、
ことを特徴とする。
【０００９】
また、上記の目的を達成するため、本発明に係るプログラムは、
記録媒体の種別を読み取る記録媒体種別読取部と、種別が互いに異なる複数の転写ユニットのうちの、いずれか１つの当該転写ユニットを選択的に格納する転写ユニット格納部と、を有する印刷装置のプログラムであって、
コンピュータに、
前記転写ユニット格納部に格納された前記転写ユニットの種別と前記記録媒体種別読取部にて読み取られた前記記録媒体の種別とが適合するか否かを判別する適合判別処理、
を実行させる、
ことを特徴とする。
【発明の効果】
【００１０】
本発明によれば、二次転写ローラにおいて無駄に流れる電流を抑制することを可能とする、印刷装置、印刷制御方法及びプログラムを提供することができる。
【図面の簡単な説明】
【００１１】
【図１】本実施形態に係る印刷装置の全体構成を模式的に示す図である。
【図２】（Ａ）は、記録媒体セットユニット１４の斜視図である。（Ｂ）〜（Ｄ）は、（Ａ）のＡ−Ａ断面図である。（Ｂ）は、スイッチ素子ＳＷ１がオンになった状態を示す図である。（Ｃ）は、スイッチスイッチ素子ＳＷ２がオンになった状態を示す図である。（Ｄ）は、スイッチ素子ＳＷ１及びＳＷ２がオンになった状態を示す図である。
【図３】記録媒体の記録幅を検出するための構成を示す図である。（Ａ）は、スイッチ素子のオン／オフ状態と記録媒体の記録幅との対応関係を示すテーブルである。（Ｂ）は、記録媒体の記録幅を検出するための回路図である。
【図４】実施形態１に係る画像形成装置の内部構成を示す断面図である。
【図５】二次転写ローラ及び従動ローラの内部の構造を示す概略図である。（Ａ）は、二次転写ローラ及び従動ローラの長手方向に直交する断面図であり、（Ｂ）のＢ−Ｂ断面図と（Ｃ）のＣ−Ｃ断面図でもある。（Ｂ）は、印刷する記録媒体の記録幅より大きい二次転写ローラを使用した場合の（Ａ）のＡ−Ａ断面図である。（Ｃ）は、印刷する記録媒体の記録幅に適合する二次転写ローラを使用した場合の（Ａ）のＡ−Ａ断面図である。
【図６】（Ａ）は、二次転写ユニットの種別とその種別毎に内蔵する二次転写ローラのローラ幅を示す図である。（Ｂ）は、二次転写ユニットの種別と、二次転写ローラのローラ幅と、記録媒体の記録幅とを対応づけた二次転写ユニット対応テーブルを示す図である。
【図７】二次転写ユニットの種別を検出するための構成を示す図である。（Ａ）は、二次転写ユニットの種別と検出電圧との対応関係を示すテーブルである。（Ｂ）は、二次転写ユニットの種別を検出するための回路図である。
【図８】実施形態１に係る画像形成装置の制御に係る構成を示すブロック図である。
【図９】実施形態１に係る印刷装置が実行する適合判別処理のフローチャートである。
【図１０】（Ａ）は、実施形態１に係る印刷装置が報知するメッセージ画面を示す図である。（Ｂ）は、実施形態２に係る印刷装置が報知するメッセージ画面を示す図である。
【図１１】実施形態２に係る画像形成装置の内部構成を示す断面図である。
【図１２】定着ローラ及び加圧ローラの内部の構造を示す概略図である。（Ａ）は、定着ローラ及び加圧ローラの長手方向に直交する断面図であり、（Ｂ）のＢ−Ｂ断面図でもある。（Ｂ）は、（Ａ）のＡ−Ａ断面図である。
【図１３】定着ユニットの種別とその種別毎に内蔵する定着ローラの加熱幅を示す図である。
【図１４】実施形態２に係る画像形成装置の制御に係る構成を示すブロック図である。
【図１５】（Ａ）は、定着ユニットの種別と、記録媒体の記録幅と、第１ヒータ５７ａ又は第２ヒータ５７ｂの選択可否の情報と、を対応づけた定着ユニット対応テーブルＡを示す図である。（Ｂ）は、定着ユニットの種別と、第１ヒータ５７ａ及び第２ヒータ５７ｂの過熱幅と、記録媒体の記録幅と、を対応づけた定着ユニット対応テーブルＢを示す図である。
【図１６】定着ローラの非通過部の表面温度の遷移を示すグラフである。
【図１７】実施形態２に係る印刷装置が実行する適合判別処理のフローチャートである。
【図１８】変形例１に係る、複数の二次転写ローラを内蔵する二次転写ユニットの長手方向に直交する断面図である。
【発明を実施するための形態】
【００１２】
以下、本発明の実施形態に係る印刷装置について、図面を参照しながら説明する。
【００１３】
（実施形態１）
図１に示すように、本発明の実施形態に係る印刷装置１００は、供給装置１０と、画像形成装置２０と、を備える。なお、以下に説明する実施形態では、記録媒体としてロール状の記録媒体９９を使用する例を示すが、これに限るものではなく、カット状の記録媒体、ピン送り孔付き連続記録媒体等でもよい。
【００１４】
供給装置１０は、画像形成用の記録媒体として、記録媒体９９を画像形成装置２０に供給する。供給装置１０は、巻き芯（管）の周りに記録媒体がロール状に巻き回された記録媒体９９を連続的に引き出して、画像形成装置２０に搬送する。具体的に説明すると、供給装置１０は、保持部（アンワインダ）１８、搬送部１１、をその内部に備え、さらに巻き取り部（リワインダ）１９をその上に備える。供給装置１０は、記録媒体を供給する供給手段として機能する。
【００１５】
保持部（アンワインダ）１８は、画像形成装置２０へ供給するべき記録媒体９９を保持するための部材である。保持部１８は、記録媒体９９の巻き中心にある巻き芯を貫通して記録媒体９９を保持する回転可能な回転軸（シャフト）と、この回転軸を支持する支持台と、から構成され、記録媒体９９を回転可能に保持する。保持部（アンワインダ）１８は、保持手段として機能する。
【００１６】
保持部１８には、回転軸を回転させるための不図示のモータが搭載される。保持部１８は、このモータの駆動により、指示された単位時間当たりの回転数（単位時間に回転する回数）で保持部１８の回転軸を回転させて、保持している記録媒体９９を巻き出して搬送部１１に送り出す。
【００１７】
搬送部１１は、保持部１８から巻き出された記録媒体９９を所定の搬送経路に沿って搬送し、画像形成装置２０へと供給する搬送手段として機能する。具体的には、搬送部１１は、テンションローラ１２、従動ローラ１３、記録媒体セットユニット１４、記録媒体搬送ローラ対１５、オートカッタ１６、本体進入搬送ローラ対１７、を備える。
【００１８】
テンションローラ１２は、搬送部１１における保持部１８の直後に設置され、保持部１８から送り出された記録媒体９９がたるまないように制御する。テンションローラ１２は、鉛直方向に移動可能に設置され、自重又はバネ等の力により鉛直下向きに移動して搬送中の記録媒体９９にバックテンションを与える。このようなテンションローラ１２の機能により、記録媒体９９に掛かるテンション（張力）が一定に保たれ、記録媒体９９の搬送が安定する。
【００１９】
従動ローラ１３は、記録媒体９９の搬送に従動して、位置が固定された所定の回転軸の周りを回転するローラである。従動ローラ１３は、搬送経路におけるテンションローラ１２の下流に配置され、記録媒体９９の搬送方向を調整する役割を果たす。
【００２０】
記録媒体セットユニット１４は、記録媒体９９の供給位置を規制するために用意されたセット部としてのユニットである。記録媒体セットユニット１４は、記録媒体セットユニット１４本体に開閉自在に係合されたトップカバーと、記録媒体９９の搬送方向に直交する搬送直交方向に記録媒体９９のずれを規制する規制ガイドと、を備える。トップカバーは、記録媒体搬送ローラ対１５の上側のローラを保持する部材と一体的に構成されており、オペレータにより記録媒体搬送ローラ対１５と共に開閉される。規制ガイドは、記録媒体セットユニット１４本体の底板にスライド自在に取り付けられており、記録媒体９９のセット部、記録幅判別手段（記録媒体種別読取部）として機能する。
【００２１】
ここで、図２及び図３を参照して、記録媒体９９の記録幅を判別するための構成について説明する。なお、記録幅とは、搬送方向に直交する搬送直交方向における記録媒体の長さ（幅）を意味し、記録媒体の種別を意味する。
【００２２】
図２（Ａ）に示すように、記録媒体９９は、保持部（アンワインダ）１８から巻き出され、記録媒体セットユニット１４の底板上に載置される。オペレータは、載置した記録媒体９９の搬送直交方向のずれが生じないように、規制ガイド１４ａを搬送直交方向にスライドさせて記録媒体９９の搬送位置を規制する。これにより、記録媒体９９は、搬送直交方向のずれが抑制され、正規の状態で搬送される。
【００２３】
規制ガイド１４ａの底板には、突出部１４ｂが一体形成されており、この突出部１４ｂは、規制ガイド１４ａのスライドと連動して搬送直交方向に移動する。また、突出部１４ｂの下方には、マイクロスイッチ、リードスイッチ等のスイッチ素子（ＳＷ１，ＳＷ２）１４ｃ，１４ｄが配置されている。
【００２４】
また、図２（Ｂ）〜（Ｄ）に示すように、突出部１４ｂの下面には、スイッチを押下するための押下片１４ｆ，１４ｅが配置されている。記録媒体セットユニット１４の底板上に載置された各定形記録媒体（Ｂ５，Ａ４，Ａ３）の記録媒体９９の記録幅に応じてスライドさせた規制ガイド１４ａが停止した位置で、押下片１４ｆ又は／及び１４ｅがスイッチ素子１４ｃ又は／及び１４ｄを押下するように構成されている。これにより、スイッチ素子１４ｃ，１４ｄのオン／オフが切り替わる。
【００２５】
図２（Ｂ）に示すように、Ｂ５の記録媒体９９を規制する位置で突出部１４ｂが停止した場合、押下片１４ｅによりスイッチ素子（ＳＷ１）１４ｃは押下され、オン状態となる。一方、スイッチ素子（ＳＷ２）１４ｄは、オフ状態である。また、図２（Ｃ）に示すように、Ａ４の記録媒体９９を規制する位置で突出部１４ｂが停止した場合、押下片１４ｅによりスイッチ素子（ＳＷ２）１４ｄは押下され、オン状態となる。一方、スイッチ素子（ＳＷ１）１４ｃは、オフ状態である。また、図２（Ｄ）に示すように、Ａ３の記録媒体９９を規制する位置で突出部１４ｂが停止した場合、押下片１４ｆによりスイッチ素子（ＳＷ１，ＳＷ２）１４ｃ，１４ｄは共に押下され、オン状態となる。
【００２６】
図３（Ａ）は、各定形記録媒体（Ｂ５，Ａ４，Ａ３）の記録幅の記録媒体９９がそれぞれ規制ガイド１４ａにより規制された場合、及び記録媒体９９が規制ガイド１４ａにより規制されていない場合のスイッチ素子（ＳＷ１，ＳＷ２）１４ｃ，１４ｄのオン／オフ状態を示すテーブルである。画像形成装置２０は、スイッチ素子（ＳＷ１，ＳＷ２）１４ｃ，１４ｄのオン／オフによって変化する電圧レベルの組み合わせに基づいて、記録媒体９９の記録幅がいずれの定形記録媒体の記録幅に該当するかを判別する。
【００２７】
図３（Ｂ）に示すように、スイッチ素子（ＳＷ１）１４ｃと画像形成装置２０の後述するＣＰＵ（Central Processing Unit）６１の入力ポートＩＮ１とを接続する信号線には、電源電圧Ｖｃｃ１がプルアップ抵抗Ｒ１を介して接続されている。また、スイッチ素子（ＳＷ２）１４ｄとＣＰＵ６１の入力ポートＩＮ２とを接続する信号線には、電源電圧Ｖｃｃ２がプルアップ抵抗Ｒ２を介して接続されている。また、スイッチ素子（ＳＷ１）１４ｃとスイッチ素子（ＳＷ２）１４ｄとは、一端がグランドレベルに接地されたアース線により接続されている。
【００２８】
例えば、記録媒体９９が載置されておらず、規制ガイド１４ａにより記録媒体９９が規制されていない場合、図３（Ｂ）に示すように、スイッチ素子（ＳＷ１，ＳＷ２）１４ｃ，１４ｄはいずれもＯＦＦの状態であり、各プルアップ抵抗Ｒ１，Ｒ２を介してプルアップされ、ＣＰＵ６１の入力ポートＩＮ１とＩＮ２には、それぞれ、Ｈ（ハイ）レベルの電圧（３Ｖ）が印加される。
【００２９】
また、例えば、Ａ４の記録幅の記録媒体９９を記録媒体セットユニット１４に載置し、記録媒体９９を規制するために規制ガイド１４ａをスライドさせた場合、スイッチ素子（ＳＷ１）１４ｃはＯＦＦ、スイッチ素子（ＳＷ２）１４ｄはＯＮの状態となる。このため、ＣＰＵ６１の入力ポートＩＮ１には、プルアップされ、Ｈ（ハイ）レベルの電圧（３Ｖ）が印加される。一方、入力ポートＩＮ２には、グランドに直結し、Ｌ（ロウ）レベルの電圧（０Ｖ）が印加される。
【００３０】
このように、ＣＰＵ６１は、印加される電圧の変化に基づいて、記録媒体セットユニット１４にセットされた記録媒体９９のサイズ（記録幅）を検出する。
【００３１】
図１に戻って、記録媒体搬送ローラ対１５は、記録媒体セットユニット１４によりセットされた記録媒体９９を後続の搬送機構へと搬送するための部材である。記録媒体搬送ローラ対１５は、不図示のモータにより駆動され、記録媒体セットユニット１４にセットされた記録媒体９９を挟持して搬送し、オートカッタ１６及び本体進入搬送ローラ対１７に供給する。
【００３２】
オートカッタ１６は、必要に応じて記録媒体９９をカットするための部材である。オートカッタ１６は、例えば、画像形成装置２０における画像形成に必要な長さの記録媒体９９を搬送し終えたときに、記録媒体９９の終端をカットする。
【００３３】
本体進入搬送ローラ対１７は、記録媒体９９を画像形成装置２０の内部へと搬送するための部材である。本体進入搬送ローラ対１７は、不図示のモータにより駆動され、記録媒体搬送ローラ対１５から供給された記録媒体９９を挟持して搬送し、画像形成装置２０へと供給する。
【００３４】
ここで、供給装置１０に記録媒体９９をセットする操作を具体的に説明する。オペレータは、記録媒体９９を保持部１８から巻き出して、テンションローラ１２の下側を通して、開状態にした記録媒体セットユニット１４を経由して記録媒体搬送ローラ対１５に挟む。この状態で記録媒体セットユニット１４のトップカバーを閉じると、セットされた記録媒体９９が適宜のセンサにより検出されて、記録媒体搬送ローラ対１５が回転駆動する。そして、セットされた記録媒体９９は、オートカッタ１６を通って本体進入搬送ローラ対１７まで搬送されて、画像形成装置２０への進入直前の待機位置（ホームポジション）に設置される。
【００３５】
一方、供給装置１０上に設置された巻き取り部（リワインダ）１９は、画像形成装置２０から排出された記録媒体９９を巻き取って保持するための部材である。巻き取り部１９は、保持部１８と同様、記録媒体９９の巻き中心にある巻き芯（管）を貫通して記録媒体９９を保持する回転可能な巻き取り軸（シャフト）と、この巻き取り軸を支持する支持台と、によって構成され、記録媒体９９を回転可能に保持する。
【００３６】
巻き取り部１９には、巻き取り軸を回転させるための不図示のモータが搭載される。このモータの駆動により、巻き取り部１９は、指示された単位時間当たりの回転数で巻き取り軸を回転させて、画像形成装置２０から従動ローラ２１を経由して送り出された記録媒体９９を巻き取る。
【００３７】
画像形成装置２０は、供給装置１０の天板上面に配置され、供給装置１０から供給される記録媒体９９に画像形成すべき画像データを出力する。画像形成装置２０は、例えばラベルプリンタであり、供給装置１０から連続的に供給される記録媒体９９を記録媒体として、比較的大きな面積におよぶ画像データの画像形成を記録媒体の切れ目なく行うことができる。
【００３８】
次に、図４を参照して、画像形成装置２０の内部構成を説明する。以下、画像形成装置２０として、電子写真式で二次転写方式のタンデム型のカラープリンタを例にとって説明する。画像形成装置２０は、画像形成部３０、中間転写ベルトユニット４０、定着部５０等を備える。
【００３９】
画像形成部３０は、４つの画像形成ユニット３１（３１ｋ，３１ｃ，３１ｍ，３１ｙ）が直列して設置された構成を備える。この４つの画像形成ユニット３１のうちの上流側（図４における右側）の３つの画像形成ユニット３１ｃ、３１ｍ、及び３１ｙは、それぞれ減法混色の三原色であるシアン（Ｃ）、マゼンタ（Ｍ）、イエロー（Ｙ）のカラートナーによるカラー画像を形成する。一方、下流側（図４における左側）の画像形成ユニット３１ｋは、主として文字や画像の暗黒部分等に用いられるブラック（Ｋ）トナーによるモノクロ画像を形成する。
【００４０】
各画像形成ユニット３１は、下部に感光体ドラム３２を備える。感光体ドラム３２は、その周面が、例えば、有機光導電性材料で構成される。感光体ドラム３２の近傍には、周面を取り巻くように、クリーナ３３、帯電ローラ３４、光書込ヘッド３５、現像器３６の現像ローラ３７が配置される。
【００４１】
現像器３６は、上部に設置されたトナー容器に、ブラック（Ｋ）、シアン（Ｃ）、マゼンタ（Ｍ）、イエロー（Ｙ）のいずれかのトナーを収容し、中間部には下部へのトナー補給機構を備え、下部には側面開口部に上述した現像ローラ３７を備える。現像器３６は、さらに内部にトナー撹拌部材、現像ローラ３７にトナーを供給するトナー供給ローラ、現像ローラ３７上のトナー層を一定の層厚に規制するドクターブレード等を備える。
【００４２】
なお、図４ではブラック（Ｋ）用の画像形成ユニット３１ｋの構成にのみ符号を付しているが、各画像形成ユニット３１は、トナー容器に収納されたトナーの色を除いて同じ構成を備える。
【００４３】
中間転写ベルトユニット４０は、画像形成装置２０内部のほぼ中央で、図４における左右のほぼ端から端まで扁平なループ状に延在する無端状の転写ベルト４１、転写ベルト４１を張架しながら図中の矢印Ａ方向に循環移動させる張架ローラである駆動ローラ４２及び従動ローラ４３、を備える。転写ベルト４１は、その表面上に各色の感光体ドラム３２のトナー像を順次重ねて転写（一次転写）されることにより、４色重ね合わせのトナー像が形成される。また、転写ベルト４１は、その表面上に転写されたトナー像を、記録媒体９９に転写（二次転写）する転写位置に搬送する。
【００４４】
中間転写ベルトユニット４０は、転写ベルト４１のループ内に、４個の画像形成ユニット３１ｋ，３１ｃ，３１ｍ，３１ｙに対応する４個の一次転写ローラ４４を備える。一次転写ローラ４４は、それぞれ、転写ベルト４１を介して感光体ドラム３２の下部周面に押圧するための導電性発泡ゴムによって構成され、中間ベルト４１と等速で回転し、転写ベルト４１を感光体ドラム３２に当接させたり感光体ドラム３２から離接させたりする。一次転写ローラ４４には、不図示の高圧電源により一次転写バイアス電圧が印加され、感光体ドラム３２と一次転写ローラ４４との間に一次転写電界を形成する。これにより、感光体ドラム３２上に形成されたトナー像が転写ベルト４１上に転写される。
【００４５】
待機搬送ローラ対４５は、供給装置１０から搬送された記録媒体９９を受け取り、受け取った記録媒体９９を二次転写部４６に搬送する。
【００４６】
二次転写部４６は、転写ベルト４１の表面上に転写された負極性に帯電したトナー像を、正極性の電圧が印加されたローラを転写ベルト４１に圧接することにより記録媒体９９に静電転写する。
【００４７】
二次転写部４６は、画像形成装置２０に着脱可能な二次転写ユニット４７を格納する。二次転写ユニット４７は、抵抗素子４７ｒと、二次転写ローラ４８と、を備える。オペレータは、記録媒体セットユニット１４にセットした記録媒体９９の記録幅に応じて、二次転写ユニット４７を交換する。二次転写ユニット４７は、例えば、Ｂ５，Ａ４，Ａ３の記録幅のうちのいずれか１つと略等しいローラ幅の二次転写ローラ４８を内蔵する。オペレータは、記録媒体セットユニット１４にセットした記録媒体９９の記録幅に適合するローラ幅の二次転写ローラ４８を内蔵する二次転写ユニット４７を二次転写部４６に格納し、画像形成装置２０に二次転写ローラ４８を装着する。抵抗素子４７ｒは、後述するように、画像形成装置２０に装着された二次転写ユニット４７の種別を判別するための識別部材である。ここで、二次転写ローラ４８のローラ幅が記録媒体９９の記録幅に適合するとは、二次転写ローラ４８のローラ幅の方が記録媒体９９の記録幅よりも若干大きく、両者の差が１０ｍｍ程度であることを意味する。二次転写部４６は、転写ユニット格納部として機能する。
【００４８】
二次転写ローラ４８は、転写ベルト４１を挟んで従動ローラ４３に対向する位置に配置され、転写ベルト４１上に転写されたトナー像を記録媒体９９に静電転写するための転写部材である。二次転写ローラ４８は、図５（Ａ）に示すように、転写ベルト４１を介して従動ローラ４３を圧接し、従動ローラ４３と共に二次転写挟持部を形成する。二次転写ローラ４８は、芯金部４８ａと、弾性層４８ｂと、から構成される。芯金部４８ａは、少なくとも表面が導電性を有する素材で構成され、例えば、銅、鉄、アルミニウム等の棒状の軸、または、樹脂等の棒状の軸の表面を金属メッキ加工して導電化したものである。また、弾性層４８ｂは、例えば、ポリウレタン、シリコンゴム、エチレンプロピレンゴム（ＥＰＤＭ）等にカーボンブラック等の導電性微粒子やイオン導電剤を添加して導電性を付与した導電性ゴム部材から構成される。なお、図５では、二次転写部４６において二次転写電界を形成する二次転写ローラ４８及び従動ローラ４３の内部構造を説明するため、二次転写ローラ４８を覆う二次転写ユニット４７は図示していない。
【００４９】
二次転写ローラ４８には、高圧電源４８ｐから二次転写バイアス電圧が印加される。印加された二次転写バイアス電圧により、二次転写ローラ４８は正電極、従動ローラ４３は負電極となり、二次転写電流が二次転写ローラ４８から従動ローラ４３に向けて（図５（Ｂ），（Ｃ）中の矢印方向）流れる。これにより、二次転写ローラ４８と従動ローラ４３との間に二次転写電界が形成され、転写ベルト４１上に形成されたトナー像は記録媒体９９に静電転写される。また、二次転写ローラ４８と従動ローラ４３との間に流れる電流を検出する電流検出器４８ｉが電気回路内に接続されており、その測定値はＣＰＵ６１に供給される。また、配線ラインの一端は接地されている。
【００５０】
図５（Ｂ）に示すように、従来通り、記録媒体９９の記録幅よりも大きい二次転写ローラ４８を使用する場合、二次転写ローラ４８には、印刷する記録媒体９９の記録幅に応じて、記録媒体９９が通過する通過部と記録媒体９９が通過しない非通過部とが生じる。記録媒体９９の抵抗により、通過部は非通過部と比較して抵抗値が大きくなるため、通過部に流れる電流は非通過部に流れる電流と比較して小さくなる。
【００５１】
一方、図５（Ｃ）に示すように、本実施形態に係る記録媒体９９の記録幅に適合するロール幅の二次転写ローラ４８を使用する場合、二次転写ローラ４８のほぼ全幅が記録媒体９９が通過する通過部となり、記録媒体９９が通過しない非通過部はわずか１０ｍｍ程度しか生じない。これにより、図（Ｂ）に示す二次転写ローラ４８の非通過部において二次転写電流とは無関係に無駄に流れる電流を抑制することができる。
【００５２】
記録媒体９９の抵抗値は、記録材の種類や印刷環境により変動する。例えば、記録媒体９９が紙の場合、紙の主成分であるセルロースの吸湿性に起因して、高温高湿環境では抵抗値が低く、低温低湿環境では抵抗値が高くなる。また、二次転写ローラ４８と従動ローラ４３とを含む転写部材の抵抗値は、連続印刷の実行中の温度上昇に伴って次第に低下する。したがって、ＣＰＵ６１は、電流検出器４８ｉが検出する電流値を監視し、転写ベルト４１上のトナーを記録媒体９９に転写するために必要な二次転写電流を維持するために、高圧電源４８ｐの供給電圧をフィードバック制御する。例えば、ＣＰＵ６１は、電流検出器４８ｉが検出した電流値Ｉｒと、予め設定されている目標電流値Ｉｔと、の偏差ｅ（＝Ｉｔ−Ｉｒ）に基づいて、ＰＩＤ（Proportional Integral Derivative）制御により、二次転写ローラ４８に印加する転写バイアス電圧を制御する。
【００５３】
従動ローラ４３は、転写ベルト４１を張架する張架ローラの１つであり、転写ベルト４１を挟んで二次転写ローラ４８に対向する位置に配置される。従動ローラ４３は、図５に示すように、芯金部４３ａと、弾性層４３ｂと、から構成される。芯金部４３ａと弾性層４３ｂとは、それぞれ、上述した二次転写ローラ４８の芯金部４８ａと弾性層４３ｂと同様の部材から構成される。なお、従動ローラ４３は、転写効率を上げるために二次転写ローラ４８と比較して高硬度であることが望ましいため、弾性層４３ｂの厚みは、二次転写ローラ４８の弾性層４８ｂと比較して薄く形成されている。
【００５４】
二次転写ユニット４７は、内蔵する二次転写ローラ４８のローラ幅に応じて、複数の種別に区分されている。本実施形態では、図６（Ａ）に示すように、二次転写ユニット４７は、３つの種別ＴＵ５Ｂ，ＴＵ４Ａ，ＴＵ３Ａに区分され、各々、Ｂ５，Ａ４，Ａ３の記録幅と略等しいローラ幅を有する。また、各二次転写ローラ４７の両端には、絶縁被覆された導電ロッド４７ａが配置され、この導電ロッド４７ａを通じて二次転写ローラ４７に二次転写バイアス電圧が印加される。各二次転写ユニット４７内の二次転写ローラ４８のローラ面以外は、転写ベルト４１を介して従動ローラ４３に圧着されることはなく、絶縁状態である。なお、本実施形態では、二次転写ローラ４８を３つの種別に区分して説明するが、種別の数はこれに限られず、より多くの記録媒体の記録幅に対応するように二次転写ローラ４８の種別を設定してもよい。
【００５５】
ここで、図７を参照して、二次転写ユニット４７の着脱状態、及び、装着された二次転写ユニット４７の種別を判別するための構成について説明する。二次転写ユニット４７は、内蔵する二次転写ローラ４８のローラ幅によって区分される種別に応じて、異なる抵抗値の抵抗素子４７ｒを備える。図７（Ｂ）に示すように、例えば、種別ＴＵ５Ｂ，ＴＵ４Ａ，ＴＵ３Ａの二次転写ユニット４７は、各々、抵抗素子４７ｒ１，４７ｒ２，４７ｒ３を備え、その抵抗値はそれぞれ、１．５ｋΩ，６８０Ω，２７０Ωとする。また、図７（Ａ）は、定着ユニット５１の抵抗素子４７ｒとプルダウン抵抗Ｒ１２との合成抵抗Ｒ１４と、ＣＰＵ６１の入力ポートＩＮ３に印加される電圧値と、を示すテーブルである。
【００５６】
二次転写ユニット４７が画像形成装置２０に装着されていない場合、図７（Ｂ）に示すように、ＣＨ−４とＣＨ−５とは断線しているため、画像形成装置２０のＣＰＵ６１の入力ポートＩＮ３には、電源電圧Ｖｃｃ３がプルアップ抵抗Ｒ１１を介してプルアップされた、Ｈ（ハイ）レベルの電圧（５Ｖ）が印加される。このように、ＣＰＵ６１は、入力ポートＩＮ３に印加された電圧レベルを検知することにより、二次転写ユニット４７の着脱状態を判別する。
【００５７】
一方、二次転写ユニット４７が画像形成装置２０に装着された場合、図５（Ｂ）に示すように、画像形成装置２０が備えるプルアップ抵抗Ｒ１１と、各二次転写ユニット４７が備える抵抗素子４７ｒと画像形成装置２０が備えるプルダウン抵抗Ｒ１２との合成抵抗Ｒ１４と、の分圧比により、画像形成装置２０の入力ポートＩＮ３に印加される電圧レベルが変化する。このように、ＣＰＵ６１は、入力ポートＩＮ３に印加された電圧レベルを検知することにより、装着された定着ユニット５１の種別を判別する。
【００５８】
例えば、種別ＴＵ５Ｂの二次転写ユニット４７を画像形成装置２０に装着した場合、電源電圧Ｖｃｃ３が５Ｖのとき、画像形成装置２０の入力ポートＩＮ３に印加される電圧は、画像形成装置２０が備えるプルアップ抵抗Ｒ１１（１ｋΩ）と、二次転写ユニット４７が備える抵抗素子４７ｒ１（１．５ｋΩ）と画像形成装置２０が備えるブルダウン抵抗Ｒ１２（２．７ｋΩ）との合成抵抗Ｒ１４（４．２ｋΩ）と、の分圧電圧であるため、４．０４Ｖとなる。
【００５９】
このように、ＣＰＵ６１は、入力ポートＩＮ３に印加される電圧の変化に基づいて、装着された二次転写ユニット４７の種別を検出する。なお、二次転写ユニット４７が備える抵抗素子４７ｒは、ＣＨ−４とＣＨ−５とに接続するものに限らない。例えば、ＣＨ−４とＣＨ−５とを結線し、二次転写ユニット４７が備える抵抗素子４７ｒをＣＨ−５とＣＨ−６とに接続し、プルダウン抵抗Ｒ１２と並列接続するように構成してもよい。これにより、二次転写ユニット４７の種別が多岐にわたっても、その種別毎にＣＰＵ６１に印加される分圧電圧値を変化させることができ、二次転写ユニット４７の種別を判別することが可能となる。
【００６０】
図４に戻って、定着部５０は、二次転写部４６に対して、記録媒体９９の搬送方向の下流側（図４では上方）に配置される。定着部５０は、記録媒体９９に転写されたトナーを加熱して溶融すると共に、圧力を加えてトナーを記録媒体９９に浸透させることにより、トナー像を記録媒体９９に定着させる。定着部５０は、定着ローラ５２と、加圧ローラ５３と、を備える。
【００６１】
定着ローラ５２は、記録媒体９９に転写されたトナーを加熱するための加熱部材である。定着ローラ５２は、加熱手段であるヒータを内蔵し、このヒータの輻射熱によりトナーの溶融に必要な温度になるように加熱される。
【００６２】
加圧ローラ５３は、定着ローラ５２の加熱によって溶融状態にあるトナーを記録媒体９９に押圧することにより、トナー像を記録媒体９９に定着させる加圧部材である。加圧ローラ５３は、定着ローラ５２と対向して配置され、バネ等の弾性体により弾力的に支持され、定着ローラ５２に一定の圧力を加えるように付勢されている。これにより、定着ローラ５２と加圧ローラ５３との間に、一定の圧力を確保した挟持部が形成され、記録媒体である記録媒体９９を通過させて、加熱及び加圧してトナー像を定着させる。なお、必要に応じて、加圧ローラ５３にヒータを配置して一定の温度に加熱制御しても良い。
【００６３】
定着部５０のさらに下流側には、トナー画像の定着後の記録媒体９９を定着部５０から搬出し、さらに画像形成装置２０の上面に形成されている排出トレイに排出する排出ローラ対２２が配設される。排出ローラ対２２を通って排出された記録媒体９９は、画像形成装置２０の側部に設置された従動ローラ２１を経由して巻き取り部１９へと供給される。
【００６４】
次に、図８を参照して、画像形成装置２０の制御に係る構成を説明する。画像形成装置２０は、ホストコンピュータ８０及び供給装置１０と、ＬＡＮ（Local Area Network）等のネットワーク又はＵＳＢ（Universal Serial Bus）によって互いに接続されている。
【００６５】
画像形成装置２０は、制御部６０、印刷部７０を備える。より詳細には、制御部６０は、ＣＰＵ６１、ＬＡＮ通信部６２、ＵＳＢ通信部６３、パネル制御部６４、オペレーションパネル６５、記憶装置６６、記憶装置制御部６７、コマンド解析部６８、を備える。また、印刷部７０は、印刷制御部７１、印刷機構部７２、を備える。
【００６６】
ＣＰＵ６１は、命令やデータを転送するための伝送経路であるシステムバスを介して画像形成装置２０の各部と接続され、画像形成装置２０の各部の動作を制御する。ＣＰＵ６１は、不図示のＲＡＭ（Random Access Memory）をワークメモリとして用いながら、ＲＯＭ（Read Only Memory）や記憶装置６６に記憶されているシステムソフトウェア等の各種プログラムを読み出し、適宜、実行する。
また、ＣＰＵ６１には、電流検出器４８ｉにより検出された電流信号が供給されている。
【００６７】
ＬＡＮ通信部６２、ＵＳＢ通信部６３は、それぞれ、ＬＡＮ、ＵＳＢを介して外部の機器と通信を行う。例えば、ＣＰＵ６１は、ＬＡＮ通信部６２又はＵＳＢ通信部６３を介してホストコンピュータ８０と通信し、ホストコンピュータ８０から送信された印刷ジョブを受信したり、画像形成装置２０の各種情報をホストコンピュータ８０に送信したりする。また、ＣＰＵ６１は、ＬＡＮ通信部６２又はＵＳＢ通信部６３を介して供給装置１０と通信し、記録媒体セットユニット１４に配置された記録媒体の記録幅を検出するために用いられる検出素子からの出力信号を受信する。
【００６８】
パネル制御部６４は、例えば、ＬＣＤ（Liquid Crystal Display）等の表示パネル、各種の操作ボタン等の入力装置を備えるオペレーションパネル６５に接続される。パネル制御部６４は、ＣＰＵ６１の制御のもと、種々の画像や文字、記号等をオペレーションパネル６５に表示する。また、パネル制御部６４は、オペレーションパネル６５に入力されたユーザからの各種操作を受け付け、受け付けた各種操作にそれぞれ対応する操作信号をＣＰＵ６１に供給する。なお、オペレーションパネル６５は、タッチスイッチ機能を備えるタッチパネル（タッチスクリーン）のような入力機能と表示機能とが組み合わされた装置であってもよい。
【００６９】
記憶装置６６は、例えば、ＥＥＰＲＯＭ（Electrically Erasable Programmable ROM）等の不揮発性メモリやＨＤＤ（Hard Disk Drive）等によって構成され、画像形成装置２０の動作に必要な各種プログラム及びデータを記憶する。
【００７０】
記憶装置６６は、図６（Ｂ）に示すような、二次転写ユニット４７の種別と、二次転写ローラ４８のローラ幅と、記録媒体９９の記録幅と、を対応づけた二次転写ユニット対応テーブルを記憶する。二次転写ユニット４７の種別は、内蔵する二次転写ローラ４８のローラ幅に応じて区分されている。記録媒体の記録幅は、二次転写ローラ４８のローラ幅に適合する定形記録媒体の記録幅［幅（×長さ）］を示す。なお、二次転写ローラ４８のローラ幅は、記録媒体９９の搬送ずれ等を考慮して、適合する記録媒体９９の記録幅よりも１０ｍｍ大きく設定している。
【００７１】
記憶装置制御部６７は、ＣＰＵ６１の制御のもと、記憶装置６６へのデータの書き込み制御、及び記憶装置６６に記憶されたデータの読み出し制御を行う。
【００７２】
コマンド解析部６８は、ＣＰＵ６１の制御のもと、ホストコンピュータ８０から送信される印刷データに含まれるコマンドの解析を行い、印刷データを、ブラック（Ｋ）、マゼンタ（Ｍ）、シアン（Ｃ）、イエロー（Ｙ）毎にビットマップの画像データに変換する。そして、コマンド解析部６８は、変換したビットマップの画像データを、ブラック（Ｋ）、マゼンタ（Ｍ）、シアン（Ｃ）、イエロー（Ｙ）毎に、フレームメモリの対応する記憶エリアに展開する。フレームメモリに展開された画像データは、印刷制御部７１に出力される。
【００７３】
印刷制御部７１は、ＣＰＵ６１の制御のもと、画像形成部３０、中間転写ベルトユニット４０、定着部５０等を含む印刷機構部７２を制御し、コマンド解析部６８によって生成された画像データに従って印刷処理を行う。例えば、印刷制御部７１は、中間転写ベルトユニット４０の上下移動や転写ベルト４１の回転駆動を行うための制御、駆動ローラ４２、待機搬送ローラ対４５、排出ローラ対２２等の回転駆動される搬送機構を駆動するための制御、回転駆動系等への電圧印加を行うための制御、定着部５０のヒータ５７等への電圧印加を行うための制御等を行う。
【００７４】
次に、図９に示すフローチャートを参照しながら、画像処理装置２０が実行する適合判別処理について説明する。なお、画像処理装置２０のＣＰＵ６１は、印刷コマンドが投入され、印刷ジョブが発生したことに応答して、図９に示す適合判別処理を開始する。ＣＰＵ６１は、適合判別手段、転写ローラ選択手段として機能する。
【００７５】
まず、ＣＰＵ６１は、記録媒体９９が記録媒体セットユニット１４にセットされているか否かを判別する（ステップＳ１０１）。上記で説明したとおり、記録媒体９９をセットして記録媒体セットユニット１４のトップカバーを閉じると、適宜のセンサの出力信号が、供給装置１０が備える通信手段を介して画像形成装置２０に伝達される。ＣＰＵ６１は、このセンサからの出力信号に基づいて、記録媒体９９がセットされているか否かを判別する。
【００７６】
ＣＰＵ６１は、記録媒体９９が記録媒体セットユニット１４にセットされていると判別した場合（ステップＳ１０１；ＹＥＳ）、記録媒体９９の記録幅を判別する（ステップＳ１０２）。上記で説明したとおり、ＣＰＵ６１は、入力ポートＩＮ１及びＩＮ２に、各々、印加される電圧値に基づき、記録媒体９９の種別を判別する。ＣＰＵ６１は、記録幅判別手段として機能する。
【００７７】
一方、ＣＰＵ６１は、記録媒体９９が記録媒体セットユニット１４にセットされていないと判別した場合（ステップＳ１０１；ＮＯ）、ステップＳ１０１に処理を戻す。つまり、ＣＰＵ６１は、記録媒体９９が記録媒体セットユニット１４にセットされていると判別するまで、ステップＳ１０１の処理を繰り返す。
【００７８】
次に、ＣＰＵ６１は、二次転写ユニット４７が画像形成装置２０に装着されているか否かを判別する（ステップＳ１０３）。上記で説明したとおり、ＣＰＵ６１は、入力ポートＩＮ３に印加される電圧値に基づき、二次転写ユニット４７が装着されているか否かを判別する。
【００７９】
ＣＰＵ６１は、二次転写ユニット４７が装着されていると判別した場合（ステップＳ１０３；ＹＥＳ）、次に、二次転写ユニット４７の種別に基づき、二次転写ローラ４８のローラ幅を判別する（ステップＳ１０４）。ＣＰＵ６１は、ステップＳ１０３の処理と同様に、記憶装置６６に記憶されている、図６（Ｂ）に示す二次転写ユニット対応テーブルを参照して、入力ポートＩＮ３に印加される電圧値に基づいて特定された二次転写ユニット４７の種別に対応づけられた二次転写ローラ４８のローラ幅を判別する。ＣＰＵ６１は、ローラ幅判別手段として機能する。
【００８０】
一方、ＣＰＵ６１は、二次転写ローラ４８が装着されていないと判別した場合（ステップＳ１０３；ＮＯ）、処理をステップＳ１０３に戻し、二次転写ユニット４７が装着されるまで待機する。
【００８１】
ＣＰＵ６１は、ステップＳ１０４の処理を完了すると、記録媒体９９の記録幅と二次転写ユニット４７の種別により特定される二次転写ローラ４８のローラ幅とが適合するか否かを判別する（ステップＳ１０５）。ＣＰＵ６１は、図６（Ｂ）に示す二次転写ユニット対応テーブルを参照し、ステップＳ１０２で判別した記録媒体９９の記録幅（サイズ）と、ステップＳ１０４で判別した二次転写ユニット４７の種別により特定される二次転写ローラ４８のローラ幅と、が対応づけられているか否かを検索することにより、記録媒体９９の記録幅と二次転写ローラ４８のローラ幅とが適合するか否かを判別する。
【００８２】
ＣＰＵ６１は、記録媒体９９の記録幅と二次転写ユニット４７の種別により特定される二次転写ローラ４８のローラ幅とが適合すると判別した場合（ステップＳ１０５；ＹＥＳ）、本処理を終了する。なお、ＣＰＵ６１は、処理を終了する前に、装着された二次転写ローラ４８の種別と記録媒体セットユニット１４にセットされた記録媒体９９の記録幅とが適合する旨を報知してもよい。ＣＰＵ６１は、報知手段として機能する。
【００８３】
一方、記録媒体９９の記録幅と二次転写ローラ４８の種別により特定されるローラ幅とが適合しないと判別した場合（ステップＳ１０５；ＮＯ）、ＣＰＵ６１は、図６（Ｂ）に示す二次転写ユニット対応テーブルを参照し、記録媒体９９の記録幅に適合する二次転写ローラ４８のローラ幅を内蔵する二次転写ユニット４７を検索する。ＣＰＵ６１は、検索結果に基づいて二次転写ユニット４７の種別を特定し、図１０（Ａ）に示すような、装着している二次転写ユニット４７を、特定した種別の二次転写ユニット４７に交換することを促す第１のメッセージ画面８１を、パネル制御部６４を制御してオペレーションパネル６５に表示させる（ステップＳ１０６）。
【００８４】
ＣＰＵ６１は、ステップＳ１０６の処理を終了すると、処理をステップＳ１０３に戻し、ステップＳ１０３〜Ｓ１０５の処理を繰り返す。つまり、ＣＰＵ６１は、記録媒体９９の記録幅と二次転写ローラ４８のローラ幅とが適合すると判別するまで、図１０（Ａ）に示すような第１のメッセージ画面８１をオペレーションパネル６５に表示させて、記録媒体９９の記録幅に適合する二次転写ローラ４８を内蔵する二次転写ユニット４７に交換することを促す第１のメッセージの報知を繰り返す。
【００８５】
本処理が終了し、その他の初期化処理が終了後、ホストコンピュータ８０から受信した印刷コマンドに応じて発生した印刷ジョブを実行する。
【００８６】
以上説明したように、本実施形態によれば、セットされた記録媒体９９の記録幅に適合する二次転写ローラ４８が画像形成装置２０に装着されていることを条件に、印刷ジョブが実行される。このように、記録媒体９９の記録幅に略等しい二次転写ローラ４８を使用して二次転写を行うことにより、二次転写ローラ４８のローラ幅において、略全長を記録媒体９９が通過し、記録媒体９９が通過しない非通過部がわずかしか生じないため、二次転写電流とは無関係に無駄に流れる電流を抑制することができる。
【００８７】
（実施形態２）
上記の実施形態１に係る印刷装置１００は、記録媒体セットユニット１４にセットされた記録媒体９９の記録幅に適合する二次転写ローラ４８を用いて二次転写することにより、二次転写電流とは無関係に無駄に流れる電流を抑制することを可能とする。さらに、記録媒体９９の記録幅に適合する加熱幅のヒータ５７を内蔵する定着ローラ５２を用いることにより印刷動作の中断を防止することを可能とする、実施形態２に係る印刷装置１００について以下に説明する。ここで、ヒータ５７の加熱幅と記録媒体９９の記録幅とが適合するとは、ヒータ５７の加熱幅の方が記録媒体９９の記録幅よりも若干長く、両者の差が１０ｍｍ程度であることを意味する。
【００８８】
図１１を参照して、実施形態２に係る画像形成装置１２０の内部構成を説明する。実施形態２に係る画像形成装置１２０の定着部５０は、実施形態１に係る画像形成装置２０の定着部５０に、さらに、定着ユニット５１、サーミスタ５４を追加して備える。また、実施形態２に係る定着ローラ５２は、記録媒体９９の記録幅に適合する加熱幅のヒータを内蔵する点で、実施形態１に係る定着ローラ５２とは異なる。実施形態２に係る画像形成装置１２０は、その他の機能等については、実施形態１に係る画像形成装置２０とほぼ同様である。
【００８９】
図１１に示すように、定着部５０は、定着ユニット格納部として機能し、画像形成装置１２０に着脱可能な定着ユニット５１を格納する。オペレータは、必要に応じて、定着ユニット５１を交換する。また、定着ユニット５１は、後述する第１ヒータ５７ａの加熱幅に応じて複数の種別に区別され、オペレータは、記録媒体セットユニット１４にセットした記録媒体９９の記録幅に適合する種別の定着ユニット５１を装着する。定着ユニット５１は、定着ローラ５２と、加圧ローラ５３と、サーミスタ５４と、を備える。
【００９０】
定着ローラ５２は、記録媒体９９に転写されたトナーを加熱するための加熱部材である。定着ローラ５２は、図１２（Ａ）に示すように、金属からなる円筒体の芯金部５５と、芯金部５５の外表面を被うシリコンゴム等からなる弾性層５６と、から構成される。また、定着ローラ５２の芯金部５５は、中空状に形成され、その内部には、加熱手段であるヒータ５７が内蔵される。定着ローラ５２は、内部のヒータ５７からの輻射熱により、トナーの溶融に必要な所定の温度になるように加熱される。
【００９１】
定着ローラ５２は、図１２（Ａ），（Ｂ）に示すように、異なる軸方向の長さを有する第１ヒータ５７ａと第２ヒータ５７ｂとを内蔵する。第１ヒータ５７ａは、定形記録媒体Ａ５，Ａ４，Ｂ４の記録幅のうちのいずれか１つと略等しい長さの記録媒体９９を加熱可能な加熱幅を有する。また、第２ヒータ５７ｂは、Ａ３の記録幅と略等しい長さの記録媒体９９を加熱可能な加熱幅を有する。ＣＰＵ６１は、記録媒体セットユニット１４にセットされた記録媒体９９の記録幅に応じて、第１ヒータ５７ａ又は第２ヒータ５７ｂのいずれを使用するかを選択し、選択したヒータ５７に給電して定着ローラ５２を加熱する。なお、定着ローラ５２に内蔵される異なる軸方向長さのヒータ５７の数は、２つに限られず、３つ以上であってもよい。
【００９２】
図１２（Ｂ）に示すように、記録媒体９９の記録幅より大きい定着ローラ５２を使用する場合、定着ローラ５２は、印刷する記録媒体９９の記録幅に応じて、記録媒体９９が通過する通過部と記録媒体９９が通過しない非通過部とに区分される。図１２（Ｂ）は、第１ヒータ５７ａの加熱幅と適合する記録幅の記録媒体９９を印刷する場合に生じる通過部と非通過部とを示す。
【００９３】
加圧ローラ５３は、図１２（Ａ）に示すように、金属からなる円筒体の芯金部５８と、芯金部５８の外表面を被うシリコンゴム等からなる弾性層５９と、から構成される。
【００９４】
図１２（Ｂ）に示すように、定着ローラ５２の通過部と片側非通過部とに対向して近接する位置には、それぞれ、第１サーミスタ５４ａと第２サーミスタ５４ｂとが配置されている。第１サーミスタ５４ａと第２サーミスタ５４ｂとは、定着ローラ５２の外周表面の温度を検出する温度センサの一部として機能する。定着ローラ５２に内蔵されるヒータ５７への給電は、このサーミスタ５４ａ，５４ｂの抵抗値から検出される温度に応じて制御される。
【００９５】
定着ユニット５１は、図１３に示すように、定着ローラ５２が内蔵する第１ヒータ５７ａと第２ヒータ５７ｂとの加熱幅の組み合わせにより、複数の種別に区分されている。本実施形態では、第１ヒータ５７ａは、３つの種別ＦＵ５Ａ，ＦＵ４Ａ，ＦＵ４Ｂに区分され、各々、Ａ５，Ａ４，Ｂ４の記録幅と略等しい加熱幅を有し、第２ヒータ５７ｂは、印刷可能な最大の記録媒体であるＡ３の記録幅と略等しい加熱幅を有する。なお、本実施形態では、定着ユニット５１を３つの種別に区分して説明するが、種別の数はこれに限られず、より多くの記録媒体の記録幅に対応するように定着ユニット５１の種別を設定してもよい。また、定着ユニット５１毎に第２ヒータ５７ｂの加熱幅が互いに異なってもよい。
【００９６】
定着ユニット５１の着脱状態、及び、装着された定着ユニット５１の種別を判別するための構成については、実施形態１で説明した二次転写ユニット４７の構成と同様、定着ユニット５１毎に異なる抵抗素子を備える構成を用いればよい。したがって、ここでは説明を省略する。
【００９７】
次に、図１４を参照して、画像形成装置１２０の制御に係る構成を説明する。ここでは、実施形態１に係る画像形成装置２０に追加される構成のみ説明する。
【００９８】
画像形成装置１２０は、第１サーミスタ５４ａ及び第２サーミスタ５４ｂを備える。ＣＰＵ６１には、第１サーミスタ５４ａ及び第２サーミスタ５４ｂを備える温度センサにより測定された温度信号が供給される。ＣＰＵ６１は、取得した温度信号が示す温度に応じて印刷動作等を制御する。
【００９９】
また、記憶装置６６は、図１５（Ａ）に示す、定着ユニット５１の種別と、記録媒体の記録幅と、第１ヒータ５７ａ又は第２ヒータ５７ｂの選択可否の情報と、を対応づけた定着ユニット対応テーブルＡを記憶する。定着ユニット５１の種別は、定着ローラ５２が内蔵する第１ヒータ５７ａの加熱幅に応じて分類される。記録媒体の記録幅は、第１ヒータ５７ａの加熱幅に適合する定形記録媒体の記録幅（幅×長さ）を示す。ヒータ５７の選択情報は、第１ヒータ５７ａ又は第２ヒータ５７ｂのいずれが選択可能であるかを示す情報である。
【０１００】
また、記憶装置６６は、図１５（Ｂ）に示す、定着ユニット５１の種別と、第１ヒータ５７ａ及び第２ヒータ５７ｂの加熱幅と、記録媒体９９の記録幅と、が対応づけられた定着ユニット対応テーブルＢを記憶する。定着ユニット５１の種別は、第１ヒータ５７ａの加熱幅に応じて分類されている。第１ヒータ５７ａの加熱幅は、Ａ５，Ａ４，Ｂ４の記録幅のうちのいずれか１つよりも１０ｍｍ程度長く、各記録媒体の記録幅全体をカバーする長さである。記録媒体の記録幅は、第１ヒータ５７ａの加熱幅に適合する定形記録媒体の記録幅（幅×長さ）を示す。
【０１０１】
次に、図１６を参照して、定着ローラ５２の記録媒体９９が通過しない非通過部の表面温度の遷移について説明する。画像形成装置１２０の電源が投入されると、ＣＰＵ６１は、定着ローラ５２の記録媒体９９が通過する中央に配置された第１サーミスタ５４ａに基づく検出温度がトナーの溶融に必要な温度である目標温度Ｔｔ（例えば、１８０℃）に到達するまでヒータ５７を最大出力で加熱する。ＣＰＵ６１は、第１サーミスタ５４ａに基づく検出温度が目標温度Ｔｔに到達すると、その目標温度Ｔｔが維持されるように、ヒータ５７の発熱量をフィードバック制御する。例えば、ＣＰＵ６１は、第１サーミスタ５４ａに基づく定着ローラ５２の温度Ｔｒと、予め設定されている目標温度Ｔｔと、の偏差ｅ（＝Ｔｔ−Ｔｒ）に基づいて、ＰＩＤ制御により、ヒータ５７への給電を制御する。
【０１０２】
このように、定着ローラ５２の記録媒体９９が通過する通過部の表面温度は、ＰＩＤ制御によって目標温度Ｔｔにほぼ維持される。一方、定着ローラ５２の記録媒体９９が通過しない非通過部の表面温度は、記録媒体９９に熱を奪われることなく蓄熱するため、記録媒体９９が通過する通過部よりも高くなる。
【０１０３】
図１６に示すように、非通過部の表面温度は、画像形成装置１２０の電源が投入後、通過部と同様、目標温度Ｔｔに到達するまで上昇する。ＣＰＵ６１は、サーミスタ５４ａ，５４ｂに基づく検出温度が目標温度Ｔｔに到達した後、印刷動作を開始する。非通過部の表面温度は、印刷動作が開始された後も緩やかに上昇する。非通過部に配置された第２サーミスタ５４ｂに基づく検出温度が、予め定められた閾値Ｔｔｈ（例えば、１９０℃）を超えて過熱状態になると、ＣＰＵ６１は、定着ローラ５２内のヒータ５７への給電を停止して、印刷動作を中断する。ＣＰＵ６１は、非通過部の表面温度がトナーの溶融に必要な下限温度Ｔｍ（例えば、１７５℃）まで下がったら、ヒータ５７への給電を開始し、印刷動作を再開する。このように、ＣＰＵ６１は、非通過部の表面温度の変化に応じて、印刷動作の中止、再開を指示する。目標温度Ｔｔ、下限温度Ｔｍ、閾値Ｔｔｈの値は、例えば、ＥＥＰＲＯＭやＨＤＤに予め記憶されている。
【０１０４】
次に、図１７に示すフローチャートを参照して、画像形成装置１２０が実行する適合判別処理について説明する。画像処理装置１２０のＣＰＵ６１は、印刷コマンドが投入され、印刷ジョブが発生したことに応答して、図１７に示す適合判別処理を開始する。ＣＰＵ６１は、適合判別手段、加熱幅判別手段として機能する。なお、図１７に示すフローチャート中のステップＳ２０１〜Ｓ２０６の処理は、各々、図９に示すフローチャート中のステップＳ１０１〜Ｓ１０６の処理と同じである。したがって、図１７に示すフローチャート中のステップＳ２０７〜Ｓ２１３を中心に説明する。
【０１０５】
ＣＰＵ６１は、ステップＳ２０１〜Ｓ２０４の処理を終了し、ステップＳ２０５において、記録媒体９９の記録幅と、二次転写ローラ４８のローラ幅が適合すると判別した場合（ステップＳ２０５；ＹＥＳ）、次に、定着ユニット５１が画像形成装置１２０に装着されているか否かを判別する（ステップＳ２０７）。定着ユニット５１の装着状態を判別する方法は、二次転写ユニット４７の装着状態を判別する場合と同様、ＣＰＵ６１の入力ポートに印加される電圧値に基づいて装着状態を判別すればよい。
【０１０６】
ＣＰＵ６１は、定着ユニット５１が画像形成装置１２０に装着されていると判別した場合（ステップＳ２０７；ＹＥＳ）、次に、装着された定着ユニット５１の定着ローラ５２が内蔵する第１ヒータ５７ａの加熱幅を判別する（ステップＳ２０８）。ＣＰＵ６１は、入力ポートに印加される電圧値に基づいて、記憶装置６６に記憶されている図１５に示す定着ユニット対応テーブルを参照して、定着ユニット５１の種別及びその種別により特定される第１ヒータ５７ａの加熱幅を判別する。
【０１０７】
一方、ＣＰＵ６１は、定着ユニット５１が画像形成装置１２０に装着されていないと判別した場合（ステップＳ２０７；ＮＯ）、処理をステップＳ２０７に戻し、定着ユニット５１が装着されるまで待機する。
【０１０８】
ＣＰＵ６１は、ステップＳ２０８の処理を完了すると、記録媒体９９の記録幅と定着ユニット５１の種別により特定される第１ヒータ５７ａの加熱幅とが適合するか否かを判別する（ステップＳ２０９）。ＣＰＵ６１は、図１５（Ｂ）に示す定着ユニット対応テーブルＢを参照して、ステップＳ２０２で判別した記録媒体９９の記録幅と、ステップＳ２０８で判別した定着ユニット５１に内蔵された第１ヒータ５７ａの加熱幅と、が対応づけられているか否かを検索することにより、記録媒体９９の記録幅と定着ユニット５１の種別により特定される第１ヒータ５７ａの加熱幅とが適合するか否かを判別する。
【０１０９】
ＣＰＵ６１は、記録媒体９９の記録幅と定着ユニット５１の種別により特定される第１ヒータ５７ａの加熱幅とが適合すると判別した場合（ステップＳ２０９；ＹＥＳ）、使用するヒータ５７として第１ヒータ５７ａを選択し（ステップＳ２１０）、その後、処理を終了する。なお、ＣＰＵ６１は、処理を終了する前に、記録媒体セットユニット１４にセットされた記録媒体９９の記録幅と装着された定着ユニット５１の種別とが適合する旨を報知してもよい。ＣＰＵ６１は、ヒータ選択手段、報知手段として機能する。
【０１１０】
ＣＰＵ６１は、記録媒体９９の記録幅と定着ユニット５１の種別により特定される第１ヒータ５７ａの加熱幅とが適合しないと判別した場合（ステップＳ２０９；ＮＯ）、装着されている定着ユニット５１の定着ローラ５２に内蔵された第２ヒータ５７ｂの加熱幅と記録媒体セットユニット１４にセットされた記録媒体９９の記録幅とが略等しいか否かを判別する（ステップＳ２１１）。ＣＰＵ６１は、図１５（Ｂ）に示す定着ユニット対応テーブルＢを参照し、記録媒体９９の記録幅の幅と第２ヒータ５７ｂの過熱幅との差が１０ｍｍ以下であれば、略等しいと判別する。ＣＰＵ６１は、第２ヒータ５７ｂの加熱幅と記録媒体９９の記録幅とが略等しいと判別した場合（ステップＳ２１１；ＹＥＳ）、使用するヒータ５７として第２ヒータ５７ｂを選択し（ステップＳ２１２）、処理を終了する。
【０１１１】
一方、ＣＰＵ６１は、記録媒体９９の記録幅と第２ヒータ５７ｂの加熱幅とが略等しくないと判別した場合（ステップＳ２１１；ＮＯ）、図１５（Ｂ）に示す定着ユニット対応テーブルＢを参照し、記録媒体９９の記録幅に適合する加熱幅のヒータ５７を検索する。ＣＰＵ６１は、検索結果に基づいて、定着ユニット５１の種別を特定し、図１０（Ｂ）に示すような、装着している定着ユニット５１を記録媒体９９の記録幅に適合する種別の定着ユニット５１に交換することを促す第２のメッセージ画面８２を、パネル制御部６４を制御してオペレーションパネル６５に表示させる（ステップＳ２１３）。
【０１１２】
ＣＰＵ６１は、ステップＳ２１３の処理を終了すると、処理をステップＳ２０７に戻し、ステップＳ２０７〜Ｓ２１２の処理を繰り返す。つまり、ＣＰＵ６１は、使用するヒータ５７として第１ヒータ５７ａ又は第２ヒータ５７ｂのいずれかを選択するまで、図１０（Ｂ）に示すような第２のメッセージ画面８２をオペレーションパネル６５に表示させて、記録媒体９９の記録幅に対応する定着ユニット５１への交換を促す第２のメッセージの報知を繰り返す。
【０１１３】
本処理が終了し、その他の初期化処理が終了後、ホストコンピュータ８０から受信した印刷コマンドに応じて発生した印刷ジョブを実行する。
【０１１４】
上記説明したように、トナー像の二次転写の際に、記録媒体９９の記録幅に適合するローラ幅の二次転写ローラ４８を使用すると共に、トナー像を定着させる際に、記録媒体９９の記録幅に適合する加熱幅のヒータを有する定着ローラ５２を使用することにより、定着ローラ５２の非通過部の過熱に伴う印刷中断を防止することができ、さらに印刷効率の低下を防止することが可能となる。
【０１１５】
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【０１１６】
（変形例１）
例えば、上記実施形態では、記録媒体９９に適合するローラ幅を有する二次転写ローラ４８を１つ内蔵する二次転写ユニット４７について説明したが、二次転写ユニット４７が内蔵する二次転写ローラ４８は１つに限られない。図１８に示すように、二次転写ユニット４７は、定形記録媒体の記録幅に適合する、異なるローラ幅の複数の二次転写ローラ４８の回転中心を中心としてリボルバー式に構成して内蔵してもよい。二次転写ユニット４７の内部で二次転写ローラ４８が一定周方向に回転し、複数の二次転写ローラ４８のうちの１つが、順次、従動ローラ４３と対向する位置に配置される。従動ローラ４３と対向する位置に配置された二次転写ローラ４８は、転写ベルト４１を挟んで従動ローラ４３と挟持部を形成する。
【０１１７】
二次転写ローラ４８がリボルバー式に構成された二次転写ユニット４７は、従動ローラ４３と対向する位置に配置された二次転写ローラ４８毎に異なる抵抗素子４８ｒが画像形成装置２０，１２０に接続するように構成される。これにより、画像形成装置２０，１２０のＣＰＵ６１は、入力ポートに印加される電圧値の変化に応じて、二次転写ローラ４８の種別に基づき、二次転写ローラ４８のローラ幅を判別し、使用する二次転写ローラ４８を選択する。ＣＰＵ６１は、転写ローラ選択手段として機能する。
【０１１８】
上記のように、二次転写ユニット４７が異なるローラ幅の複数の二次転写ローラ４８を内蔵することにより、オペレータの二次転写ユニット４７を交換する手間を低減することができる。また、内蔵する二次転写ローラ４８のローラ幅の組み合わせの異なる二次転写ユニット４７を取り揃えることにより、より多様な定形記録媒体の記録幅に対応することができる。なお、二次転写ユニット４７の形状や二次転写ユニット４７が内蔵する二次転写ローラ４８の数は、図１８に示す例に限られない。
【０１１９】
（変形例２）
上記実施形態では、記録媒体にトナー像を定着させる定着手段として、定着ローラ５２と加圧ローラ５３とサーミスタ５４とから構成される定着ユニット５１を例に説明した。しかし、定着ユニット５１の構成は、これに限らず、定着ローラの代わりにヒータを内蔵する加熱ローラと、定着ローラと加熱ローラとに張架される定着ベルトと、を追加した、いわゆるベルト定着方式としてもよい。この場合、定着ベルト及び定着ローラに通過部と非通過部とが形成されるが、加熱源である加熱ローラの内部のヒータの加熱幅を調整することにより、上記の実施形態と同様の効果が得られる。
【０１２０】
（変形例３）
上記の実施形態２で説明した図１７のフローチャートにおいて、記録媒体９９の記録幅に、第１ヒータ５７ａの加熱幅が適合しないと判別され（ステップＳ２０９；ＮＯ）、且つ、第２ヒータ５７ｂの加熱幅も適合しないと判別された場合（ステップＳ２１１；ＮＯ）、適合する定着ユニット５１に交換することを促す第２のメッセージを報知した（ステップＳ２１３）。しかし、記録媒体９９の記録幅に適合する定着ユニット５１が準備できない等の状況下でやむを得ず連続印刷を実施する場合も想定される。したがって、記録媒体９９の記録幅に適合しない場合であっても、記録媒体９９の記録幅よりも広いことを条件に、第１ヒータ５７ａ，第２ヒータ５７ｂのいずれかを使用するようにしてもよい。この場合、定着ローラ５１の非通過部には、記録媒体９９が通過しない非通過部が生じ、その表面温度が上昇して過熱状態となることによって印刷動作が中断することがある。そのため、記録媒体９９の記録幅に適合しない第１ヒータ５７ａ又は第２ヒータ５７ｂを使用する場合には、印刷動作が中断するまでに印刷可能な記録媒体９９の量を算出等し、それをあらかじめ報知してもよい。また、記録媒体９９の記録幅に適合しない第１ヒータ５７ａ又は第２ヒータ５７ｂを使用するか否かを、オペレータの指示により選択できるようにしてもよい。
【０１２１】
なお、本発明に係る機能を実現するための構成を予め備えた印刷装置として提供することができることはもとより、プログラムの適用により、既存の情報機器を、本発明に係る印刷装置として機能させることもできる。すなわち、上記実施形態で例示した印刷装置１００による各機能構成を実現させるためのプログラムを、既存の情報機器を制御して機能させることができる。また、本発明に係る制御方法は、印刷装置を用いて実施できる。
【０１２２】
また、このようなプログラムの適用方法は、任意である。プログラムを、例えば、フレキシブルディスク、ＣＤ（Compact Disc）−ＲＯＭ、ＤＶＤ（Digital Versatile Disc）−ＲＯＭ、メモリーカード等のコンピュータ読み取り可能な記憶媒体に格納して適用できる。さらに、プログラムを搬送波に重畳し、インターネット等の通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１２３】
また、上記の実施形態は、本発明を説明するためのものであり、本発明の範囲を制限するものではない。したがって、当業者であれば上記の各構成要素を均等なものに置換した実施形態を採用することが可能であるが、これらの実施形態も本発明の範囲に含まれる。
【０１２４】
以上、本発明の好ましい実施形態について説明したが、本発明は係る特定の実施形態に限定されるものではなく、本発明には、特許請求の範囲に記載された発明とその均等の範囲とが含まれる。以下に、本願発明の当初の特許請求の範囲に記載された発明を付記する。
【０１２５】
（付記１）
記録媒体の種別を読み取る記録媒体種別読取部と、
種別が互いに異なる複数の転写ユニットのうちの、いずれか１つの当該転写ユニットを選択的に格納する転写ユニット格納部と、
前記転写ユニット格納部に格納された前記転写ユニットの種別と前記記録媒体種別読取部にて読み取られた前記記録媒体の種別とが適合するか否かを判別する適合判別手段と、
を備える、
ことを特徴とする印刷装置。
【０１２６】
（付記２）
前記適合判別手段により判別された結果に応じて第１のメッセージを報知する報知手段をさらに備え、
前記報知手段は、前記適合判別手段により適合しないと判別された場合、前記記録媒体種別読取部にて読み取られた前記記録媒体の種別に適合する種別の前記転写ユニットに交換することを促す前記第１のメッセージを報知する、
ことを特徴とする付記１に記載の印刷装置。
【０１２７】
（付記３）
前記転写ユニットは、異なる種別の複数の転写ローラを有し、
前記記録媒体種別読取部にて読み取られた前記記録媒体の種別に応じて前記転写ユニット格納部に格納された前記転写ユニットの前記複数の転写ローラのうちのいずれか１つを選択する転写ローラ選択手段を、さらに備える、
ことを特徴とする付記１又は２に記載の印刷装置。
【０１２８】
（付記４）
前記転写ユニット格納部に格納された前記転写ユニットの前記複数の転写ローラのうちのいずれか１つは、前記印刷装置で印刷可能な最大の前記記録媒体の種別に適合する、
ことを特徴とする付記３に記載の印刷装置。
【０１２９】
（付記５）
記録媒体の種別を読み取る記録媒体種別読取ステップと、
種別が互いに異なる複数の転写ユニットのうちの、いずれか１つの当該転写ユニットを選択的に格納する転写ユニット格納ステップと、
前記転写ユニット格納ステップで格納された前記転写ユニットの種別と前記記録媒体種別読取ステップで読み取られた前記記録媒体の種別とが適合するか否かを判別する適合判別ステップと、
を備える、
ことを特徴とする印刷制御方法。
【０１３０】
（付記６）
記録媒体の種別を読み取る記録媒体種別読取部と、種別が互いに異なる複数の転写ユニットのうちの、いずれか１つの当該転写ユニットを選択的に格納する転写ユニット格納部と、を有する印刷装置のプログラムであって、
コンピュータに、
前記転写ユニット格納部に格納された前記転写ユニットの種別と前記記録媒体種別読取部にて読み取られた前記記録媒体の種別とが適合するか否かを判別する適合判別処理、
を実行させる、
ことを特徴とするプログラム。
【符号の説明】
【０１３１】
１０…供給装置、１１…搬送部、１２…テンションローラ、１３…従動ローラ、１４…記録媒体セットユニット、１４ａ…規制ガイド、１４ｂ…突出部、１４ｃ…スイッチ素子（ＳＷ１）、１４ｄ…スイッチ素子（ＳＷ２）、１４ｅ，１４ｆ…押下片、１５…記録媒体搬送ローラ対、１６…オートカッタ、１７…本体進入搬送ローラ対、１８…保持部（アンワインダ）、１９…巻き取り部（リワインダ）、２０…画像形成装置、２１…従動ローラ、２２…排出ローラ対、３０…画像形成部、３１（３１ｋ，３１ｃ，３１ｍ，３１ｙ）…画像形成ユニット、３２…感光体ドラム、３３…クリーナ、３４…帯電ローラ、３５…光書込ヘッド、３６…現像器、３７…現像ローラ、４０…中間転写ベルトユニット、４１…転写ベルト、４２…駆動ローラ、４３…従動ローラ、４３ａ…芯金部、４３ｂ…弾性層、４４…一次転写ローラ、４５…待機搬送ローラ対、４６…二次転写部、４７…二次転写ユニット、４７ａ…導電ロッド、４７ｒ…抵抗素子、４８…二次転写ローラ、４８ａ…芯金部、４８ｂ…弾性層、４８ｉ…電流検出器、４８ｐ…高圧電源、４８ｒ…抵抗素子、５０…定着部、５１…定着ユニット、５２…定着ローラ、５３…加圧ローラ、５４…サーミスタ、５４ａ…第１サーミスタ、５４ｂ…第２サーミスタ、５５…芯金部、５６…弾性層、５７…ヒータ、５７ａ…第１ヒータ、５７ｂ…第２ヒータ、５８…芯金部、５９…弾性層、６０…制御部、６１…ＣＰＵ、６２…ＬＡＮ通信部、６３…ＵＳＢ通信部、６４…パネル制御部、６５…オペレーションパネル、６６…記憶装置、６７…記憶装置制御部、６８…コマンド解析部、７０…印刷部、７１…印刷制御部、７２…印刷機構部、８０…ホストコンピュータ、８１…第１のメッセージ画面、８２…第２のメッセージ画面、９９…記録媒体、１００…印刷装置、１２０…画像形成装置
【図１】
2015179215.tif 000003
【図２】
2015179215.tif 000004
【図３】
2015179215.tif 000005
【図４】
2015179215.tif 000006
【図５】
2015179215.tif 000007
【図６】
2015179215.tif 000008
【図７】
2015179215.tif 000009
【図８】
2015179215.tif 000010
【図９】
2015179215.tif 000011
【図１０】
2015179215.tif 000012
【図１１】
2015179215.tif 000013
【図１２】
2015179215.tif 000014
【図１３】
2015179215.tif 000015
【図１４】
2015179215.tif 000016
【図１５】
2015179215.tif 000017
【図１６】
2015179215.tif 000018
【図１７】
2015179215.tif 000019
【図１８】
2015179215.tif 000020